(57)【要約】【課題】ミシンの内部に溜まる塵埃を除去しやすいミシンを実現する。【解決手段】ミシン１において水平釜２０を内部に収容するミシンフレーム１０におけるその水平釜２０の近傍に、家庭用掃除機１００がミシンフレーム１０内の空気を吸引するための吸引口２が設けられているので、その吸引口２から家庭用掃除機１００がミシンフレーム１０内の空気を吸引するようにして、ミシンフレーム１０内の塵埃を吸い取る掃除を行うことを可能にした。【選択図】図１
2008125597.tif 000002
【特許請求の範囲】
【請求項１】
上糸を保持するミシン針と下糸を供給する水平釜との協働により縫製を実行するミシンであって、
前記水平釜を内部に収容するミシンフレームにおける前記水平釜の近傍に、所定の吸引装置が当該ミシンフレーム内の空気を吸引するための吸引口を設けたことを特徴とするミシン。
【請求項２】
前記水平釜を前記吸引口とによって挟む位置に、空気取入口を設けたことを特徴とする請求項１に記載のミシン。
【請求項３】
前記吸引口に、前記吸引装置を密着させる密接部材を着脱可能に備えることを特徴とする請求項１又は２に記載のミシン。
【請求項４】
当該ミシンの使用時に、前記吸引口を塞ぐ蓋部材を備えることを特徴とする請求項１〜３の何れか一項に記載のミシン。
【発明の詳細な説明】
【技術分野】
【０００１】
本発明は、ミシンに係り、特にミシン内部の掃除を行いやすいミシンに関する。
【背景技術】
【０００２】
従来、ミシン針に保持される上糸と、ミシン釜（水平釜）により供給される下糸とを結節させて、縫製を行うミシンが知られている（例えば、特許文献１参照。）。
【０００３】
そして、ミシンのミシンフレーム内におけるミシン釜の周囲には糸くず等の塵埃が溜まりやすいので、ミシンオペレータは定期的にその塵埃を取り除く掃除を行うようになっている。
【特許文献１】特開２００２−３５５４７６号公報
【発明の開示】
【発明が解決しようとする課題】
【０００４】
しかしながら、上記従来技術の場合、ミシンオペレータは、ミシンフレーム内にブラシを挿入して塵埃を除去する作業を行う際に、ミシンベッド部の上面にねじ止めされている針板を取り外さなければならないので、その掃除作業が煩わしいという問題があった。
また、ミシンベッド部の上方に配置されるミシン針や布押さえがブラシを操作する際の妨げになる箇所や、ブラシの入らない狭い隙間などに対しては良好な掃除が行えないことがあるという問題があった。
【０００５】
本発明の目的は、ミシンの内部に溜まる塵埃を除去しやすいミシンを提供することである。
【課題を解決するための手段】
【０００６】
以上の課題を解決するため、請求項１に記載の発明は、上糸を保持するミシン針と下糸を供給する水平釜との協働により縫製を実行するミシンであって、水平釜を内部に収容するミシンフレームにおける水平釜の近傍に、所定の吸引装置がミシンフレーム内の空気を吸引するための吸引口を設けたことを特徴とする。
【０００７】
請求項１に記載の発明によれば、ミシンにおいて水平釜を内部に収容するミシンフレームにおけるその水平釜の近傍に、所定の吸引装置がミシンフレーム内の空気を吸引するための吸引口が設けられているので、その吸引口から掃除機などの吸引装置がミシンフレーム内の空気を吸引するようにして、ミシンフレーム内の塵埃を吸い取る掃除を行うことができる。
【０００８】
請求項２に記載の発明は、請求項１に記載のミシンにおいて、水平釜を吸引口とによって挟む位置に、空気取入口を設けたことを特徴とする。
【０００９】
請求項２に記載の発明によれば、請求項１に記載の発明と同様の作用を奏するとともに、ミシンには、水平釜を吸引口とによって挟む位置であるミシンフレームに空気取入口が設けられている。
つまり、空気取入口は、空気取入口と吸引口とによって、水平釜を挟む位置であるミシンフレームに形成されている。
【００１０】
請求項３に記載の発明は、請求項１又は２に記載のミシンにおいて、吸引口に、吸引装置を密着させる密接部材を着脱可能に備えることを特徴とする。
【００１１】
請求項３に記載の発明によれば、請求項１又は２に記載の発明と同様の作用を奏するとともに、密接部材によって、ミシンにおける吸引口に、吸引装置を密着させることができるので、吸引装置を動作させた際の吸引力をミシンフレーム内に効率よく作用させることができる。
【００１２】
請求項４に記載の発明は、請求項１〜３の何れか一項に記載のミシンにおいて、そのミシンの使用時に、吸引口を塞ぐ蓋部材を備えることを特徴とする。
【００１３】
請求項４に記載の発明によれば、請求項１〜３の何れか一項に記載の発明と同様の作用を奏するとともに、ミシンは、そのミシンが縫製動作を実行する使用時に、吸引口を塞ぐ蓋部材を備えているので、ミシンの使用中に吸引口から糸くずなどの塵埃がミシンフレーム内に侵入することを防ぐことができる。
【発明の効果】
【００１４】
請求項１に記載の発明によれば、ミシンにおいて水平釜を内部に収容するミシンフレームにおけるその水平釜の近傍に、所定の吸引装置がミシンフレーム内の空気を吸引するための吸引口が設けられているので、その吸引口から掃除機などの吸引装置がミシンフレーム内の空気を吸引するようにして、ミシンフレーム内の塵埃を吸い取る掃除を行うことができる。
特に、縫製の際に生ずる糸くずなどの塵埃が溜まりやすい水平釜の近傍に吸引口が設けられているので、その水平釜の周囲の塵埃を除去する掃除を行いやすくなっている。
よって、このミシンは、ミシンの内部に溜まる塵埃を除去しやすいミシンであるといえる。
【００１５】
請求項２に記載の発明によれば、ミシンには、水平釜を吸引口とによって挟む位置であるミシンフレームに空気取入口が設けられている。つまり、空気取入口は、空気取入口と吸引口とによって、水平釜を挟む位置であるミシンフレームに形成されている。
そして、掃除機などの吸引装置により吸引口からミシンフレーム内の空気が吸引されると、ミシンフレーム内に空気取入口から外部の空気が流入することとなって、空気取入口から吸引口に向かう空気の流れがつくられる。この空気取入口から吸引口に向かう空気の流れによって、空気取入口と吸引口の間に位置する水平釜の周囲に付着した糸くずなどの塵埃を巻き上げるようにして、その塵埃を好適に吸引装置に導くことができ、ミシンフレーム内における水平釜の周囲の塵埃を好適に除去する掃除を行うことが可能になる。
【００１６】
請求項３に記載の発明によれば、密接部材によって、ミシンにおける吸引口に吸引装置を密着させることができるので、吸引装置を動作させた際の吸引力をミシンフレーム内に効率よく作用させることができる。
そして、所定の吸引装置による吸引力をミシンフレーム内に効率よく作用させることによって、吸引口に向かう空気の流れを良好に形成するようにして、ミシンフレーム内における水平釜の周囲の塵埃を、効率的に吸引装置に吸い込ませることが可能になる。
【００１７】
請求項４に記載の発明によれば、請求項１〜３の何れか一項に記載の発明と同様の作用を奏するとともに、ミシンは、そのミシンが縫製動作を実行する使用時に、吸引口を塞ぐ蓋部材を備えているので、ミシンの使用中に吸引口から糸くずなどの塵埃がミシンフレーム内に侵入することを防ぐことができる。
つまり、縫製中に発生しやすい糸くずなどの塵埃がミシンフレーム内に侵入してしまうトラブルを防止することができる。
【発明を実施するための最良の形態】
【００１８】
以下、図面を参照して、本発明に係るミシンの実施形態について詳細に説明する。
但し、以下に述べる実施形態には、本発明を実施するために技術的に好ましい種々の限定が付されているが、発明の範囲を以下の実施形態及び図示例に限定するものではない。
【００１９】
ミシン１は、図１に示すように、外形が側面視にて略コ字状を呈するミシンフレーム１０を備えている。このミシンフレーム１０は、下部に位置するミシンベッド部１１と、ミシンベッド部１１の左端から左方に延出したフリーアーム１２と、ミシンベッド部１１の右部から上方に立ち上げられたミシン胴部１３と、ミシン胴部１３の上部からフリーアーム１２に沿うように延設されたミシンアーム１４と、を有している。
【００２０】
フリーアーム１２には、縫製の種別に応じて交換可能な補助カバー１５が取り付けられるようになっており、フリーアーム１２に補助カバー１５を取り付けると、フリーアーム１２の上面と補助カバー１５の上面が面一となるとともに、ミシンベッド部１１の表面が補助カバー１５の表面と面一となる。
【００２１】
また、フリーアーム１２の上面には針板１２ａが設けられており、フリーアーム１２におけるミシンフレーム１０の内部であって針板１２ａの下方には、図２に示すように、下糸を供給する水平釜２０が配設されている。
また、フリーアーム１２には、針板１２ａ上に載置された布を布送りするための送り歯（図示省略）が備えられている。
【００２２】
また、図１に示すように、ミシンアーム１４の先端部となるミシン頭部１４ａから下方へ延在するように針棒１６ａが設けられており、その針棒１６ａに支持されたミシン針１６が針板１２ａに向けて延出している。また、ミシン頭部１４ａの下部には布押さえ１７が設けられており、フリーアーム１２の針板１２ａに載置された布を、その布押さえ１７が押さえつけて支持する。
そして、上糸を保持するミシン針１６が上下動するとともに水平釜２０が回動する協働をミシン１が行うことによって、上糸と下糸が結節される縫製が実行され、布に縫いが施される。
なお、ミシン１の各部の駆動機構に関する構成や縫製動作は従来公知のものと同様であるので、ここでは詳述しない。
【００２３】
このフリーアーム１２におけるミシンフレーム１０には、図１、図２に示すように、所定の吸引装置である家庭用掃除機１００がミシンフレーム１０内の空気を吸引するための吸引口２が設けられている。
この吸引口２は、ミシンフレーム１０における水平釜２０の近傍であって、フリーアーム１２の先端面に形成されている。
なお、吸引口２は、後述する密接部材であるホースアダプター３０の一端部３０ａが挿入可能な大きさに形成されている。
【００２４】
ホースアダプター３０は、例えば、シリコンゴムによって成形された略円錐形状を呈する漏斗状の部材であり、狭い径を有する一端部３０ａと、広い径を有する他端部３０ｂとを有している。
このホースアダプター３０は、その一端部３０ａをフリーアーム１２の吸引口２に挿入するとともに、他端部３０ｂに家庭用掃除機１００のホースを連結するように使用して、吸引口２に家庭用掃除機１００を密着させる部材である。つまり、ホースアダプター３０は、吸引口２に着脱可能に備えられる密接部材として機能する。
【００２５】
また、フリーアーム１２におけるミシンフレーム１０の側面には、空気取入口３が設けられている。
この空気取入口３は、空気取入口３と吸引口２とによって、水平釜２０を挟む位置であるミシンフレーム１０の両側面に形成されている。
【００２６】
次に、このミシン１のミシンフレーム１０内の掃除、特にフリーアーム１２の内部を掃除する手法について説明する。
【００２７】
図２、図３に示すように、フリーアーム１２から補助カバー１５を取り外すと、フリーアーム１２におけるミシンフレーム１０に形成された吸引口２や空気取入口３が露出するようになっている。つまり、補助カバー１５は、ミシン１の使用時（縫製実行時）に、吸引口２を塞ぐ蓋部材としての機能を有している。
【００２８】
そして、図３に示すように、フリーアーム１２の吸引口２に、ホースアダプター３０の一端部３０ａを挿入する。また、ホースアダプター３０の他端部３０ｂに、家庭用掃除機１００のホースの開口端を密接させる。
なお、ホースアダプター３０は、弾力性を有するシリコンゴム製であるので、吸引口２や家庭用掃除機１００のホースと隙間なくフィットすることが可能になっている。
【００２９】
こうしてホースアダプター３０を介して、吸引口２に家庭用掃除機１００のホースを密着させた状態で、家庭用掃除機１００を動作させてミシンフレーム１０（フリーアーム１２）内の空気を吸引するようにして、家庭用掃除機１００にミシンフレーム１０内の塵埃を吸い出させる。
特に、吸引口２と空気取入口３は、吸引口２と空気取入口３によって水平釜２０を挟む位置であるミシンフレーム１０に形成されているので、家庭用掃除機１００により吸引口２からミシンフレーム１０内の空気が吸い出されると、ミシンフレーム１０内に空気取入口３から外部の空気が流入することとなって、空気取入口３から吸引口２に向かう空気の流れがつくられる。
つまり、空気取入口３から吸引口２に向かう空気の流れによって、空気取入口３と吸引口２の間に位置する水平釜２０の周囲に付着した糸くずなどの塵埃を巻き上げるようにして、その塵埃を好適に家庭用掃除機１００に導くことができ、フリーアーム１２内における水平釜２０の周囲の塵埃を好適に除去する掃除を行うことができる。
【００３０】
このように、ミシン１のフリーアーム１２には吸引口２と空気取入口３が形成されており、その吸引口２にホースアダプター３０を介して家庭用掃除機１００のホースを密着させることができるので、家庭用掃除機１００を動作させた際の吸引力をフリーアーム１２内に効率よく作用させることができる。
そして、家庭用掃除機１００による吸引力をフリーアーム１２内に作用させることによって、空気取入口３から吸引口２に向かう空気の流れを形成するようにして、フリーアーム１２内における水平釜２０の周囲の塵埃を吸引して、家庭用掃除機１００に吸い込ませることができる。
【００３１】
このように、フリーアーム１２におけるミシンフレーム１０に、吸引口２と空気取入口３とが形成されたミシン１であれば、フリーアーム１２内の水平釜２０の周囲に溜まった塵埃を取り除く掃除を行う際に、針板１２ａを取り外すという煩わしい作業を要せずに、その塵埃を家庭用掃除機１００で吸い込むようにして、容易に除去することができる。
特に、家庭用掃除機１００の吸引力による空気の流れによって、水平釜２０の周囲の塵埃を巻き上げるようにして、その塵埃を吸引して除去することができるので、ブラシなどの掃除用具が届き難い隙間などの塵埃も取り除くことが可能になる。
従って、このミシン１は、ミシン１の内部に溜まる塵埃を除去しやすいミシンであるといえる。
【００３２】
なお、本発明は上記実施形態に限られるものではない。
例えば、図４に示すように、ミシンフレーム１０における水平釜２０の近傍であって、フリーアーム１２の先端面の他に、側面や底面に吸引口２を形成してもよい。
また、ミシン１の使用時に、各吸引口２を塞ぐ蓋部材である蓋４０を備えることが好ましい。この蓋４０は、吸引口２を密栓するゴム栓などであって、工具を使わずに容易に着脱することができる蓋部材である。
そして、水平釜２０の周囲に溜まった塵埃の量や位置などの状態に応じて、何れかの蓋４０を取り外し、開口した吸引口２から家庭用掃除機１００によって塵埃を除去することができる。
特に、吸引口２を密栓する蓋４０を備えることによって、補助カバー１５を外した状態でミシン１を使用する場合でも、その吸引口２から糸くずなどがフリーアーム１２内に侵入してしまうことを防ぐことができる。
なお、フリーアーム１２に３つの吸引口２を形成することに限らず、少なくとも１つの吸引口２を形成するようにすればよい。
【００３３】
また、図５に示すように、密接部材としてのゴムパッド３１を、吸引口２に備えるようにしてもよい。
ゴムパッド３１は、例えば、弾力性を有するシリコンゴムによって成形されたリング状の部材であり、吸引口２に着脱可能に備えられている。
このゴムパッド３１は、吸引口２の周囲を覆うように配設されて、家庭用掃除機１００のホースの開口端がフィットするようになっており、吸引口２に家庭用掃除機１００を密着させるための部材である。
そして、ゴムパッド３１を予め吸引口２に備えておけば、フリーアーム１２内の塵埃の掃除を行う際に、その都度ホースアダプター３０を取り付ける掃除の準備を行わなくてもよくなる。
【００３４】
また、図６に示すように、フリーアーム１２におけるミシンフレーム１０に形成する吸引口は１つの大きな開口であることに限らず、小さな吸引口２ａを複数（本実施形態では４つ）形成するようにしてもよい。
このような小さな吸引口２ａであれば、その吸引口２ａから糸くずなどがフリーアーム１２内に侵入しにくいので、掃除用の吸引口から侵入した塵埃が水平釜２０に付着するトラブルを低減することができる。
【００３５】
なお、以上の実施の形態においては、空気取入口３をフリーアーム１２の両側面であって、ミシンベッド部１１寄りに形成した例を挙げて説明したが、本発明はこれに限定されるものではなく、吸引口と空気取入口３によって水平釜２０を挟むことができる位置であれば、任意の箇所に形成するようにしてもよい。
【００３６】
また、吸引装置は家庭用掃除機１００に限らず、任意の掃除機や吸引機器であってもよい。
【００３７】
また、その他、具体的な細部構造等についても適宜に変更可能であることは勿論である。
【図面の簡単な説明】
【００３８】
【図１】本発明に係るミシンを示す斜視図である。
【図２】本発明に係るミシンのフリーアームを示す拡大斜視図である。
【図３】ミシンにおけるフリーアーム内の掃除に関する説明図である。
【図４】ミシンのフリーアームの変形例を示す斜視図である。
【図５】ミシンのフリーアームの変形例を示す斜視図である。
【図６】ミシンのフリーアームの変形例を示す斜視図である。
【符号の説明】
【００３９】
１      ミシン
２      吸引口
２ａ    吸引口
３      空気取入口
１０    ミシンフレーム
１１    ミシンベッド部
１２    フリーアーム
１２ａ  針板
１５    補助カバー（蓋部材）
１６    ミシン針
２０    水平釜
３０    ホースアダプター（密接部材）
３１    ゴムパッド（密接部材）
４０    蓋（蓋部材）
１００  家庭用掃除機（吸引装置）
【図１】
2008125597.tif 000003
【図２】
2008125597.tif 000004
【図３】
2008125597.tif 000005
【図４】
2008125597.tif 000006
【図５】
2008125597.tif 000007
【図６】
2008125597.tif 000008